(57)【要約】【課題】本発明は高齢者や身体不自由な方の着替えを容易にした衣類を提供することを目的とする。【解決手段】本発明の衣類は、身体の一部を挿入して着用する衣類において、当該衣類に形成された身体の挿入口の縁に衣類の着脱を補助する環状のひも（３０，３２）が設けられている。かかる構成とすることによって、ひもに指をかけて衣類を着用することが可能となる。【選択図】図２
2007239129.tif 000002
【特許請求の範囲】
【請求項１】
身体の一部を挿入して着用する衣類であって、
当該衣類に形成された身体の挿入口の縁に衣類の着脱を補助する環状のひもが設けられた衣類。
【請求項２】
前記衣類は身体の下半身に着用されるものであり、
前記身体の挿入口は該衣類の腰回り部であり、
該腰回り部は帯状部材の両端を該衣類の前方でオーバーラップして腹部を開閉可能とするように形成されてなり、
前記環状のひもが該帯状部材の両端部にそれぞれ設けられている、請求項１に記載の衣類。
【請求項３】
前記衣類は身体の腰部から股下部に着用されるものであり、
前記身体の挿入口は該衣類の腰回り部であり、
該腰回り部は帯状部材の両端を該衣類の前方でオーバーラップして腹部を開閉可能とするように形成されてなり、
前記環状のひもが該帯状部材の両端部にそれぞれ設けられ、
更に、前記帯状部材の一方端側と該股下部との間に設けられて身体の腹部を覆う左腹部部材と、
前記帯状部材の他方端側と該股下部との間に設けられる身体の腹部を覆う右腹部部材と、
前記帯状部材のオーバーラップに伴って該左腹部部材と該右腹部部材とがオーバーラップする領域に配置される面ファスナーと、を備える請求項１に記載の衣類。
【請求項４】
前記衣類は、前記腰回り部から前記股下部にかけて前記左腹部部材又は右腹部部材を開放する前開きの下着である、請求項２又は３に記載の衣類。
【請求項５】
前記衣類が身体の足部に着用されるものであり、
前記身体の挿入口は該衣類の足首回りであり、
該衣類の足首回りには伸縮可能な口ゴム部が設けられ、
前記環状のひもは該口ゴムに取り付けられる、請求項１に記載の衣類。
【請求項６】
前記環状のひもが該口ゴムに踵側に設けられる、請求項５に記載の衣類。
【請求項７】
前記衣類が足部のつま先から踵にかけて着用されるものである、請求項５又は６に記載の衣類。
【請求項８】
環状のひもが断面略円形である、請求項１乃至５のいずれかに記載の衣類。
【発明の詳細な説明】
【技術分野】
【０００１】
本発明は衣類の着やすさの改良に関し、特に、高齢者、幼児、妊婦、患者、身体障害者等の力不足や身体の不自由な人（以下、「不自由者」という。）が身につけやすいように改良した衣類に関する。
【背景技術】
【０００２】
従来、下半身などを自由に動かすことのできない不自由者は、下着や靴下などの衣類を着替えるときには介護者の手を借りるのが一般的である。
不自由者向けの下着として、例えば、パンツの前側をその中央部から左右に切り開いて前あきを大きくして、おしめの取り替えやカテーテルの取り扱いを容易にした介護用パンツが提案されている（特許文献１）。
また、パンツの股下部に大きく孔を開けて人の排泄器を露出し、該露出孔を帯状の布で開閉可能に覆って、該パンツを脱がずに排泄することができようにしたパンツも提案されている（特許文献２）。
【０００３】
また、不自由者が介護者の手を借りることなく下半身用下着や靴下を身につけることを可能とする補助器具も提案されている（特許文献３、４）。
【特許文献３】特開２００１−１７２８０８号公報
【特許文献４】特開２００４−２１１２７２号公報
【特許文献５】特開２００３−２１９９５４号公報
【特許文献６】特開２０００−２７０９９６号公報
【発明の開示】
【発明が解決しようとする課題】
【０００４】
しかしながら、不自由者には、下半身のみならず、指が自由に動かなかったり、手指の握力が極めて弱い者もいる。握力が弱い者には補助器具類の使用は難しい。上述した下着ではその着替えになおも介護者の助力が必要である。
【０００５】
また、下着などの着替えは体を露出するために不自由者自身が行いたいものである。また、不自由者自身が下着の等の着替えを行うことができれば介護者の負担も減少して好ましい。
【０００６】
よって、本発明は、不自由者の衣類の着替えや装着を容易にした衣類を提供することを目的とする。
【課題を解決するための手段】
【０００７】
上記目的を達成するため本発明の衣類は、身体の一部を挿入して着用する衣類において、当該衣類に形成された身体の挿入口の縁に衣類の着脱を補助する環状のひもが設けられている。
【０００８】
かかる構成とすることによって、不自由者がひもに指や手首をかけて衣類を容易に着脱（着衣あるいは脱衣）することが可能となる。衣類は身体に着ける布地などであって、上着、下着、肌着、靴下、手袋、サポーター等が含まれる。
【０００９】
好ましくは、上記衣類は身体の下半身に着用されるものであり、上記身体の挿入口は該衣類の腰回り部であり、該腰回り部は帯状部材の両端を該衣類の前方でオーバーラップして腹部を開閉可能とするように形成されてなり、上記環状のひもが該帯状部材の両端部にそれぞれ設けられている。帯状部材としては、弾力性のある繊維などを織込んだ布地、テープ状のゴムひも、布地を折り返したもの、単なる布地の一部であって腰回り部に該当するものなどが該当する。帯状部材は必ずしも他の部分と明確に区別可能な別体として構成されていることを要しない。
【００１０】
かかる構成とすることによって、パンツ、ズボン、スカート、トレーニングパンツ、パンティストッキング、ガードル、ペチコート等の衣類の着脱が容易になる。
【００１１】
好ましくは、上記衣類は身体の腰部から股下部に着用されるものであり、上記身体の挿入口は該衣類の腰回り部であり、該腰回り部は帯状部材の両端を該衣類の前方でオーバーラップして腹部を開閉可能とするように形成されてなり、上記環状のひもが該帯状部材の両端部にそれぞれ設けられ、更に、上記帯状部材の一方端側と該股下部との間に設けられて身体の腹部を覆う左腹部部材と、上記帯状部材の他方端側と該股下部との間に設けられる身体の腹部を覆う右腹部部材と、上記帯状部材のオーバーラップに伴って該左腹部部材と該右腹部部材とがオーバーラップする領域に配置される面ファスナーと、を備える。
【００１２】
かかる構成とすることによって、不自由者がひもに指や手首をかけて衣類の腹部を大きくに開くことができ、衣類の着替え（着脱）が容易である。
【００１３】
好ましくは、上記衣類は、上記腰回り部から上記股下部にかけて上記左腹部部材又は右腹部部材を開放する前開きの下着である。これによって、下着を下腹部まで開くことができ、介護に便利である。
【００１４】
好ましくは、上記衣類が身体の足部に着用されるものであり、上記身体の挿入口は該衣類の足首回りであり、該衣類の足首回りには伸縮可能な口ゴム部が設けられ、上記環状のひもは該口ゴムに取り付けられる。これにより、靴下やサポーターの着脱が容易になる。
【００１５】
好ましくは、上記環状のひもが該口ゴムの踵側に設けられる。これによって、靴下やサポーターの着脱が容易になると共に、足の甲回りに当該衣類を回すことができ、つま先、踵などの位置に衣類をフィットさせることができる。
【００１６】
好ましくは、上記衣類が足部のつま先から踵にかけて着用されるものである。これによって、当該衣類を足の甲回りに回すことができ、つま先、踵などの位置に衣類をフィットさせ易くなる。
【００１７】
好ましくは、上記環状のひもは断面が略円形である。断面長方形のもの（テープ状のひも）よりも指や手首が輪の中に通りやすく、強度も相対的に高い。
【発明の効果】
【００１８】
本発明の環状のひもを有する衣類によれば、ひもの輪に指や手首をかけて衣類を着脱することができるので身体の不自由な方の衣類の着脱が容易化される。
【発明を実施するための最良の形態】
【００１９】
以下、本発明の実施の形態を添付図面を参照して説明する。本発明の衣類は不自由者が自分で衣類を装着出来るように、不自由者が衣類を引き上げあるいは引き下げ易い部分にループをなすひもを１つ又は複数設けている。第１の実施例では衣類であるパンツの前側をひもで開いたり、閉じたりすることができる。第２の実施例では、衣類である靴下をひもで移動して挿脱することができる。
【実施例１】
【００２０】
図１及び図２は、本発明の第１の実施例の衣類を示す説明図であり、図１は当該衣類の正面図、図２は当該衣類の斜視図である。両図において対応する部分には同一符号を付している。
【００２１】
図１に示す衣類はパンツ（下着）の例を示している。パンツは身体の下半身に着用され、身体の下半身の腰部、腹部、臀部、股下部の形状に対応した形状をしている。同図に示すように、実施例のパンツ１０は、例えば、吸湿性及び通気性の良い綿やポリエステル繊維（あるいはこれ等の混紡）の布地を縫製して構成され、パンツ１０の前側の略中央部が股下近くまで左右に大きく開く構造となっている（図２参照）。後述するように、パンツ１０の前開き部２８に面ファスナーを使用することによってパンツの開閉は格別の力を要することなく簡単に行える。
【００２２】
パンツ１０は、概略、腰回り部１２、左腹部部材１４、右腹部部材１６、左裾部１８、右裾部２０、股下部２２、あき止まり２４、臀部２６、前開き部２８、ひも部３０、３２（図２参照）等の各部分によって構成されている。なお、図中の点線は縫い目を表している。
【００２３】
腰回り部１２は、例えば、ゴム繊維等を織り込んで伸縮性あるいは弾力性を大きくした帯状部材１２ａによって構成されて、身体の腰部を一周し得る長さと適当な上下方向の幅とを有している。帯状部材１２ａの一端部１２ｂ及び他端部１２ｄは、パンツ１０の前側の略中央部でオーバーラップしている。帯状部材１２ａの一端部１２ｂの表側には左右方向に長手の面ファスナー４１ａ及び断面略円形のひも３２が縫合などによって取り付けられている。同様に、帯状部材１２ａの他端部１２ｃの裏側には左右方向に長手の面ファスナー４１ａ及び断面略円形のひも３０が縫合などによって取り付けられている。各ひもは柔軟で機械的強度の高い繊維、例えば、ナイロンなどのロープに用いられるような繊維で構成される。また、各ひもはゴムひものような弾力性のあるものであってもよい。
【００２４】
なお、パンツ１０の布地の腰回り部を折り返して袋状とし、これにゴムひもを通して縫い合わせ、帯状部材（部分）１２ａを構成しても良い。また、パンツ１０の布地の腰回り部にテープ状のゴムひもを縫合して帯状部材（部分）１２ａを構成しても良い。帯状部材１２ａの伸縮性はパンツ１０のずれ落ちを防ぐために望ましいが、面テープ４１ａ及び４１ｂで身体の腰部を締めることによってずれ落ちを防ぐことが可能であり、当該伸縮性は必須のものではない。
【００２５】
左腹部部材１４は、腰回り部１２と身体の左足大腿部が位置する左裾部１８及び身体の股下が位置する股下部２２との間の布地が該当し、身体の腹部中央から左腹部を覆っている。
【００２６】
右腹部部材１６は、腰回り部１２と身体の右足大腿部が位置する右裾部２０及び身体の股下が位置する股下部２２との間の布地が該当し、身体の腹部中央から右腹部を覆っている。
【００２７】
左腹部部材１４の一部と右腹部部材１６の一部とは、パンツ１０の前中央部でオーバーラップしている。左腹部部材１４の当該オーバーラップ部分が前開き部２８となっている。
【００２８】
臀部部材２６はパンツ１０の後側の腰回り部１２と左裾部１８、右裾部２０及び股下部２２との間の布地が該当する。なお、パンツ１０を構成する各部材は１つ又はそれ以上の布片を縫合して構成することができ、また、１つの布片で複数の部材を構成することができる。
【００２９】
前述したように、パンツ１０はその前中央部の前開き部２８で左右に開放可能である。開放可能とするために、図２に示すように、当該部分の左腹部部材１４の裏面側には腰回り部の端部１２ｃからあき止まり部２４にかけて複数個の面ファスナー４１ｂ〜４６ｂが取り付けられている。これ等に対応して、右腹部部材１６の表面側にも腰回り部１２からあき止まり部２４にかけて複数個の面ファスナー４１ａ〜４６ａが取り付けられている。あき止まり部２４は股下近くに設けられている。
【００３０】
従って、ひも３０及び３２に指や手首を通して左右に広げることによって各面ファスナーの係止が外れてパンツ１０の前中央部を股下部２２の近傍まで大きく開くことができる。このような状態であればパンツ１０を足首まで下げて（あるいは落として）パンツを容易に脱ぐことができる。また、パンツ１０を左右に大きく開いた状態ではパンツの腰回り部１２内に足を中に入れることが容易になる。ひも３０及び３２に指や手首を通して引き上げればパンツ１０を下半身まで引き上げることができる。更に、ひも３０及び３２をパンツ１０の前中央部で交差させることによって各面ファスナーの係止が行われてパンツ１０の前中央部を閉じる、パンツ１０を装着（着用）することができる。
【００３１】
上述した実施例の衣類によれば、身体の挿入口（腰回り）の近傍に指係止用のひもを配置したので、身体の不自由な者であってもこのひもを利用して衣類の着衣及び脱衣を容易に行うことができる。また、衣類の前側を大きくかつサイズフリーで開閉することができるので、カテーテルや排泄具等の医療用具、尿袋などを装着し易い。
【実施例２】
【００３２】
図３及び図４は、本発明の第２の実施例を示している。この例では、衣類が身体の一部である足が挿入される靴下である場合を示している。図３は正面図、図４は斜視図である。両図において対応する部分には同一符号を付している。
【００３３】
図３に示すように、靴下７０は綿や合成繊維の伸縮性のある織地でフート部７２、つま先部７４、踵部、身体の一部である足先を挿入する口ゴム部（挿入口）７８、ひも部３４等が形成される。ひも３４は上述したひも３０及び３２と同じものを使用することができる。ひも３４は、好ましくは、口ゴム部７８の縁の踵部７６側寄りに取り付けられる。それにより、靴下全体（踵７６側まで）をひも部３４で引くことができる。
【００３４】
この衣類である靴下を履く（着衣する）場合、不自由者はひも３４に指あるいは手首をかけ、足のつま先を口ゴム部７８内に入れた状態でひも３４を引き上げる。それによって、靴下７０が足のつま先、甲（及び足裏）、踵にそってこれ等の部分を覆うように移動するので、靴下を容易に履くことができる。また、靴下７０を脱ぐ場合には、不自由者はひも３４に指あるいは手首をかけて踵方向、つま先方向にひも３４を引くことによって靴下７０を容易に脱ぐことができる。
【００３５】
なお、靴下７０は、実施例のように、レッグ部８０を設けないようにすると着脱がより容易になる。レッグ部８０を設けないようにすると、足の甲（フート）を軸として靴下を回転することができ、足のつま先及び踵を靴下のつま先部７４及び踵部７６に簡単に合わせることができて具合がよい。
【００３６】
なお、本発明の衣類は、上記した実施の形態に限定されるものではなく、本発明の要旨を逸脱しない範囲内において種々変更を加え得ることは勿論である。例えば、上述したパンツの構造は、股引、ズボン、ジャージー等の下半身に着用する各種の衣服に適用出来る。また、上述した靴下の構造は、手袋や、腕や足のサポーター等に適用出来る。
また、本発明の衣類は、不自由者のみならず健常者が着用しても具合がよく、障害のない老人、幼児、妊婦等にも好適である。したがって、本発明は不自由者の衣類（衣服・靴下など）に限定されるものではない。
【図面の簡単な説明】
【００３７】
【図１】図１は、本発明の第１の実施例を説明する説明図である。
【図２】図２は、本発明の第１の実施例を説明する斜視図である。
【図３】図３は、本発明の第２の実施例を説明する説明図である。
【図４】図４は、本発明の第２の実施例を説明する斜視図である。
【符号の説明】
【００３８】
１０  パンツ、１２  腰回り部、１２ａ  帯状部材、１４  左腹部部材、１６  右腹部部材、１８  左裾部、２０  右裾部、２２  股下部、２４  あき止まり、２６  臀部、３０，３２，３４  ひも、４１−４６（４１ａ-４６ａ，４１ｂ−４６ｂ）  面ファスナー、７０  靴下、７２  フート部、７４  つま先部、７６  踵部、７８  口ゴム部、８０  レッグ部
【図１】
2007239129.tif 000003
【図２】
2007239129.tif 000004
【図３】
2007239129.tif 000005
【図４】
2007239129.tif 000006